(57)【要約】  本発明はサイトスピン（Ｃｙｔｏｓｐｉｎ）用スライド組立体を開示する。本発明によるスライド組立体は、所定の位置に孔が穿孔され、この孔に合わせられ、複数の濾過孔が形成されたメッシュフィルターが底面に取り付けられているスライド；及び前記スライドの底面に接触して配置されるフィルターカードを含む。本発明によれば、検査対象の細胞の損失を防止し、これにより検査対象に対する定量的で定性的な分析を正確に提供することができる効果がある。【選択図】  図３
2016525684.tif 000002
【特許請求の範囲】
【請求項１】
所定の位置に孔が穿孔され、この孔に合わせられ、複数の濾過孔が形成されたメッシュフィルターが底面に取り付けられているスライド；及び
前記スライドの底面に接触して配置されるフィルターカードを含むことを特徴とする、スライド組立体。
【請求項２】
前記メッシュフィルターは、細胞を容易に捕集することができるように、表面がコーティング処理されていることを特徴とする、請求項１に記載のスライド組立体。
【請求項３】
上部が開放され、壁面に排出孔が形成されている装着具が上面に突設されているスライド；
前記スライドの上部に配置され、前記装着具が挿合される孔が形成されているフィルターカード；及び
上部が開放され、下部にはメッシュフィルターが取り付けられ、前記装着具の内部に嵌合される捕集部材を含むことを特徴とする、スライド組立体。
【請求項４】
前記捕集部材の上面が前記フィルターカードの上面より高い位置にあることを特徴とする、請求項３に記載のスライド組立体。
【請求項５】
前記装着具と前記捕集部材は先細り形状の断面を持つことを特徴とする、請求項４に記載のスライド組立体。
【請求項６】
前記装着具の排出孔は該装着具の円周上に形成されていることを特徴とする、請求項３または５に記載のスライド組立体。
【発明の詳細な説明】
【技術分野】
【０００１】
本発明はスライド組立体に係り、より詳しくはサイトスピン（Ｃｙｔｏｓｐｉｎ）用スライド組立体に関する。
【背景技術】
【０００２】
周知のように、サイトスピンは遠心力を用いて液体性検体に含まれた細胞を限定された部位のスライドによく広げて濃縮する機器である。サイトスピンによって濃縮された細胞は直接スライド上の所定の位置に集められて塗抹される。このように、サイトスピンは検査しようとする細胞を一の領域に集める役目をするので、染色後に観察すれば、検査対象の細胞の性状が確実に見られることになる。特に、サイトスピンは少量の液体性検体に含まれる細胞の数が少ない場合に最も効果的であり、細胞生物学、組織学、病理学などの分野に広く使われる医療装置である。
【０００３】
このようなサイトスピンに使われる従来のスライド組立体は図１ａ及び図１ｂに示されている。図示されているように、従来のスライド組立体１では、下部にスライド２が位置し、スライド２の上面には液体を吸収する吸収紙であるフィルターカード（Ｆｉｌｔｅｒ Ｃａｒｄ）３が配置されている。フィルターカード３には孔３ａが穿孔され、下部のスライド２とともに収容空間３ｂを形成する。サイトスピンの作動によってスライド２に噴出される液体が収容空間３ｂに進入し、液体内の細胞がスライド２に付着し、液体は図１ｂに矢印で示したようにフィルターカード３に吸収される。
【０００４】
しかし、前述したような従来のスライド組立体では、収容空間３ｂ内において一部の細胞も液体とともにフィルターカード３に吸収され、細胞の損失が発生する。特に、試料内の細胞の個数が重要な場合、このような細胞の損失は検査結果の判読に深刻なエラーをもたらすという問題がある。すなわち、検査対象の細胞の損失をもたらすことにより、探知されなければならない細胞が除かれることで分析目標の相当部分を逃すことになり、量的及び質的結果に悪影響を及ぼすおそれがある
【発明の概要】
【発明が解決しようとする課題】
【０００５】
このように、本発明は前述したような従来技術の問題点を解決するためになされたもので、本発明の目的は、検査対象である細胞の損失を防止するスライド組立体を提供することにある。
【０００６】
本発明の他の目的は、検査対象である細胞の損失を防止することによって検査対象に対する定量的で定性的な分析を正確に提供することができるスライド組立体を提供することにある。
【課題を解決するための手段】
【０００７】
前述した目的を達成するための本発明の一側面によれば、本発明によるスライド組立体は、所定の位置に孔が穿孔され、この孔に合わせられ、複数の濾過孔が形成されたメッシュフィルターが底面に取り付けられているスライド；及び  前記スライドの底面に接触して配置されるフィルターカードを含むことを特徴とする。
【０００８】
本発明の他の側面によれば、本発明によるスライド組立体は、上部が開放され、壁面に排出孔が形成されている装着具が上面に突設されているスライド；前記スライドの上部に配置され、前記装着具が挿合される孔が形成されているフィルターカード；及び上部が開放され、下部にはメッシュフィルターが取り付けられ、前記装着具の内部に嵌合される捕集部材を含むことを特徴とする。
【０００９】
好ましくは、メッシュフィルターには細胞を容易に捕集することができるように、表面がコーティング処理されている。
【発明の効果】
【００１０】
本発明によるスライド組立体は、検査対象である細胞の損失を防止できる効果がある。
【００１１】
本発明によるスライド組立体は、検査対象に対する定量的で定性的な分析を正確に提供することができる効果がある。
【図面の簡単な説明】
【００１２】
【図１】図１（ａ）は、従来のスライド組立体の分解斜視図である。図１（ｂ）は、従来のスライド組立体の断面図である。
【図２】本発明によるスライド組立体の第１実施例の分解斜視図である。
【図３】本発明によるスライド組立体の第１実施例の部分切開拡大断面斜視図である。
【図４】本発明によるスライド組立体の第２実施例の分解斜視図である。
【図５】本発明によるスライド組立体の第２実施例の線Ａ−Ａ’についての部分切開拡大断面斜視図である。
【発明を実施するための形態】
【００１３】
本発明のその外の目的、特定の利点及び新規の特徴は添付図面を参照する以下の詳細な説明及び好適な実施例からより明らかになるであろう。
【００１４】
以下では、本発明によるスライド組立体の実施例を添付図面に基づいて詳細に説明する。
【００１５】
本発明によるスライド組立体の第1実施例として図２を参考すれば、第１実施例によるスライド組立体では、上部にはスライド１０が位置し、スライド１０の下部には吸収紙であるフィルターカード２０がスライド１０の底面に接触して配置されている。
【００１６】
スライド１０は、図２及び図３に示したように、遠心力によって噴出される液体が進入する孔１２が形成されている。孔１２の下部にはメッシュフィルター１４が合わせられてスライド１０の底面に固定して設置されている。メッシュフィルター１４には検査対象の細胞を濾過させることができる大きさを持つ複数の濾過孔１４ａが形成されている。スライド１０の孔１２とメッシュフィルター１４によって、細胞Ｃが捕集される収容空間１２ａが形成される。
【００１７】
一方、好ましくは、メッシュフィルター１４の表面は、細胞を容易に捕集できるように、コーティング処理されている。
【００１８】
次に、本発明によるスライド組立体の第２実施例として図４を参考すれば、第２実施例によるスライド組立体では、下部にはスライド１１０が位置し、スライド１１０の上部には吸収紙であるフィルターカード１２０がスライド１１０の上面に接触して配置されている。そして、フィルターカード１２０の上部には捕集部材１３０が位置している。
【００１９】
スライド１１０には、図４及び図５に示したように、上面に装着具１１２が突設されている。装着具１１２の上部は開放されている。装着具１１２の断面は、内部に進入する液体をなだらかに誘導するために、上方に向かって直径が大きくなる形状をとる。装着具１１２の下部壁面には排出孔１１４が一定の間隔で形成されている。本実施例においては多数の排出孔１１４が形成されているが、排出孔は長く伸びた単一孔に形成することもできる。
【００２０】
フィルターカード１２０はスライド１１０の上面に置かれる。挿合孔１２２は、装着具１１２が挿合孔１２２と整合して挿合されるように形成されている。装着具１１２が挿合孔１２２に挿入されれば、装着具１１２はフィルターカード１２０の上方に突出して露出される。
【００２１】
捕集部材１３０はスライド１１０の装着具１１２に嵌合されて固定される。捕集部材１３０の上部は開放されている。捕集部材１３０の断面も、装着具１１２と同様、上方に向かって直径が大きくなる形状をとる。捕集部材１３０は、装着具１１２と同様に、装着具１１２に嵌合されてフィルターカード１２０の上方に突出して露出されている。捕集部材１３０の下部にはメッシュフィルター１３２が固定して取り付けられている。メッシュフィルター１３２には、検査対象の細胞を濾過させることができる大きさを持つ複数の濾過孔１３２ａが形成されている。このような構成を持つ捕集部材１３０には、メッシュフィルター１３２によって細胞Ｃが捕集される収容空間１３４が形成される。
【００２２】
一方、第１実施例のメッシュフィルター１４と同様に、メッシュフィルター１３２の表面は、細胞を容易に捕集することができるように、コーティング処理されている。
【００２３】
今からは、前述したような構成を持つ本発明によるスライド組立体の実施例の作用について説明する。
【００２４】
図３を参照して第１実施例によるスライド組立体の作用を説明する。まず、サイトスピンを作動させることで、遠心力によって検査対象の液体が噴出する。これにより、図３の矢印で示したように、噴出された細胞を含む体がスライド１０の孔１２に進入し、続いて下方に移動する。液体は濾過孔１４ａを通過してフィルターカード２０に吸収され、検査対象である細胞Ｃは濾過孔１４ａを通過せずに濾過される。それにより、細胞Ｃは収容空間１２ａ内に捕集される。
【００２５】
本発明によるスライド組立体の第１実施例によって、細胞Ｃが損失することなくスライド１０の収容空間１２ａに捕集され、捕集された細胞Ｃは予定された次の検査段階に送られる。
【００２６】
次に、図５を参照して第２実施例によるスライド組立体の作用を説明する。第１実施例と同様に、まずサイトスピンを作動させることで、遠心力によって検査対象の液体が噴出する。これにより、図５の矢印で示したように、噴出された細胞を含む液体が捕集部材１３０の内部である収容空間１３４に進入し、続いて下方に移動する。液体は濾過孔１３２ａを通過して装着具１１２の下部に流動し、続いて装着具１１２の壁面に形成された排出孔１１４を通じて流出してフィルターカード１２０に吸収される。そして、検査対象である細胞Ｃは濾過孔１３２ａを通過せずに濾過されることにより、細胞Ｃは収容空間１３４内に捕集される。
【００２７】
本発明によるスライド組立体の第２実施例によって、細胞Ｃが損失することなく捕集部材１３０の収容空間１３４に捕集され、捕集された細胞Ｃは予定された次の検査段階に送られる。
【００２８】
以上説明した実施例は本発明の好適な実施例を説明したものに過ぎなく、本発明の権利範囲は前述した実施例に限定されるものではなく、本発明の技術的思想及び特許請求範囲内で当該分野の当業者によって多様な変更、変形または置換が可能であり、そのような実施例は本発明の範疇に属するものに理解されなければならない。
【符号の説明】
【００２９】
１０、１１０    スライド
１２    孔
１４、１３２    メッシュフィルター
１４ａ    濾過孔
２０、１２０    フィルターカード
１１２    装着具
１１４    排出孔
１３０    捕集部材
１３４    収容空間
Ｃ    細胞
【図１】
2016525684.tif 000003
【図２】
2016525684.tif 000004
【図３】
2016525684.tif 000005
【図４】
2016525684.tif 000006
【図５】
2016525684.tif 000007
【国際調査報告】
2016525684.tif 000008
2016525684.tif 000009
2016525684.tif 000010
2016525684.tif 000011